(57)【要約】      （修正有）【課題】表札レイアウトのシミュレーションを簡易操作で実行でき、生成したレイアウトを簡易な手続きで正確に表札制作者に伝達できる表札受注システムを提供する。【解決手段】複数種の表札見本１１を目視可能に配置したディスプレイ１を表札売り場に設けるるとともに、各表札見本１１の近傍に表札見本１１ごとに紐づけられた二次元コードを配置する。二次元コードには、表札レイアウト生成サーバ３が提供する表札レイアウトのシミュレーション機能における表札の種類選択において、紐づけられた表札見本１１に対応する表札種を選択する指示を含めておき、携帯端末装置２で二次元コードを読み取ることで、表札レイアウトのシミュレーション手順の一部を省略可能にする。【選択図】図１
2020057248.tif 000002
【特許請求の範囲】
【請求項１】
複数種の表札見本および前記表札見本に配置可能な文字及び書体に関する情報を記憶する記憶部と、前記記憶部に記憶された情報に基づいて前記表札見本に文字を配置した表札レイアウトを生成する手順を制御する制御部とを有する表札レイアウト生成サーバと、
前記表札レイアウト生成サーバとネットワークを介して通信接続され、前記表札レイアウト生成サーバが示す手順に従って前記表札レイアウト生成サーバ上で表札レイアウトを作成する携帯端末装置とを備え、
前記表札レイアウト生成サーバの制御部が、前記表札レイアウトの生成手順として、少なくとも、表札見本の種類を選択させる第１ステップと、選択された表札見本に対し文字を配置させる第２ステップとを有する表札レイアウトのシミュレーション機能を備えた表札受注システムであって、
複数種の表札見本を目視可能に配置してなる表札種選定用のディスプレイが設られるとともに、前記ディスプレイには、配置された表札見本ごとに紐づけられ、かつ、前記携帯端末装置による表札レイアウトの生成にあたり紐づけられた表札見本を選択して前記第１ステップを完了させる指示を含んだ二次元コードが配置されている
ことを特徴とする表札受注システム。
【請求項２】
複数種の表札見本の写真を掲載した冊子を有し、
前記冊子には、表札見本ごとに紐づけられ、かつ、前記携帯端末装置による表札レイアウトの生成にあたり紐づけられた表札見本を選択して前記第１ステップを完了させる指示を含んだ二次元コードが配置されている
ことを特徴とする請求項１に記載の表札受注システム。
【請求項３】
前記表札レイアウト生成サーバは、前記表札レイアウトのシミュレーション機能によって表札レイアウトを生成すると、生成した表札レイアウトの情報に一対一で紐づけられたレイアウト特定情報を生成し、このレイアウト特定情報を前記携帯端末装置に送信するとともに、生成した表札レイアウトの情報及びレイアウト特定情報を所定のレイアウト記憶部に記憶させる
ことを特徴とする請求項１または２に記載の表札受注システム。
【請求項４】
前記レイアウト記憶部は、前記レイアウト生成サーバとネットワークを介して通信接続されたサーバコンピュータに備えられている
ことを特徴とする請求項３に記載の表札受注システム。
【請求項５】
前記ディスプレイは、前記複数の表札見本を平面上に配置するボード状の形態とされ、
前記二次元コードは、各表札見本の近傍位置にそれぞれ配置されていることを特徴とする請求項１に記載の表札受注システム。
【発明の詳細な説明】
【技術分野】
【０００１】
この発明は表札受注システムに関し、より詳細には、現物の表札見本を確認しながら表札のレイアウトをシミュレーションできる表札受注システムに関する。
【背景技術】
【０００２】
従来、表札の販売は、ホームセンターなどの表札売り場に、実際の表札と同じ大きさ・材質で制作された表札見本を配置したり、あるいは、表札見本の写真とともに使用可能な書体などを掲載したカタログを配置したりするなどの方法で行われていた。このような販売形態では、表札の購入希望者は、表札見本又はカタログを参考にしながら、表札の種類（形状や材質などで種類分けされた表札）を選択するとともに、選択した表札に表示する文字及び書体など表札のレイアウトを決定し、表札の制作を注文していた。
【０００３】
また、最近ではインターネット環境の普及に伴い、表札の種類や表札のレイアウトをウェブサイト上でシミュレーションできるシステムが提供されている（特許文献１参照）。この種のシステムでは、購入希望者は、ウェブサイトによって示される手順に従って、表札の種類の選択から表札のレイアウトの決定までを端末装置の画面上で行い、ウェブサイト上で表札の制作を注文できるようになっている。
【先行技術文献】
【特許文献】
【０００４】
【特許文献１】特開２０１４−１９７３１８号公報
【発明の概要】
【発明が解決しようとする課題】
【０００５】
しかしながら、上記のような表札の受注方法には以下のような問題があり、その改善が望まれていた。
【０００６】
（１）表札見本又はカタログを用いた方法の場合、表札のレイアウト、具体的には、たとえば文字の大きさや配置、書体などはあくまでカタログを参考にして想像するほかはなく、制作された表札が購入希望者の想像していたものとは相違する場合がある。また、注文にあたり、文字の大きさや配置、書体など、レイアウトの詳細を書面又は口頭で伝達しなければならないという手続上の煩雑さがあり、注文ミスを誘発するおそれがあった。
【０００７】
（２）一方、ウェブサイト上でシミュレーションさせる方法の場合、表札のレイアウトが購入希望者の想像と乖離するおそれや注文手続の煩雑さ、注文ミスは解消されるものの、表札自体の質感や印象が想像していたものとは違う場合がある。特に、表札はその家の顔とも言える商品であることから、表札の質感や印象にこだわる購入希望者にとっては、現物を見ないままで行うシミュレーションへの信頼性は十分でないという問題があった。
【０００８】
しかも、ウェブサイト上でシミュレーションさせる場合、購入希望者は表札の種類から選択を行わなければならないが、表札の種類は多種多様であるため、そのすべてを端末装置上に一覧可能に表示させるのは困難である一方、購入希望者にとっても見づらいという問題もあった。
【０００９】
本発明は、このような問題点に鑑みてなされたものであって、その目的とするところは、現物の表札見本を確認しながらレイアウトのシミュレーションを簡易操作で実行することができ、生成されたレイアウトを簡易な手続きで正確に表札の制作者に伝達することができる表札受注システムを提供することにある。
【課題を解決するための手段】
【００１０】
上記目的を達成するため、本発明に係る表札受注システムは、複数種の表札見本および上記表札見本に配置可能な文字及び書体に関する情報を記憶する記憶部と、上記記憶部に記憶された情報に基づいて上記表札見本に文字を配置した表札レイアウトを生成する手順を制御する制御部とを有する表札レイアウト生成サーバと、上記表札レイアウト生成サーバとネットワークを介して通信接続され、上記表札レイアウト生成サーバが示す手順に従って上記表札レイアウト生成サーバ上で表札レイアウトを作成する携帯端末装置とを備え、上記表札レイアウト生成サーバの制御部が、上記表札レイアウトの生成手順として、少なくとも、表札見本の種類を選択させる第１ステップと、選択された表札見本に対し文字を配置させる第２ステップとを有する表札レイアウトのシミュレーション機能を備えた表札受注システムであって、複数種の表札見本を目視可能に配置してなる表札種選定用のディスプレイが設けられとともに、上記ディスプレイには、配置された表札見本ごとに紐づけられ、かつ、上記携帯端末装置による表札レイアウトの生成にあたり紐づけられた表札見本を選択して上記第１ステップを完了させる指示を含んだ二次元コードが配置されていることを特徴とする。
【００１１】
この表札受注システムによれば、表札の購入希望者（ユーザ）は、表札種選定用のディスプレイに配置された表札見本を目視で確認しながら購入を希望する表札見本を選択し、選択した表札見本に配置された二次元コードを携帯端末装置に読み込ませることによって、携帯端末装置が二次元コードの指示に従って、選択した表札見本に対応する表札種を自動的に選択して表札レイアウト生成手順の第１ステップ（表札見本の種類を選択させるステップ）が完了する。そのため、表札の購入希望者は、その後に携帯端末装置に表示される第１ステップ以降の手順を実行することで、表札のレイアウトのシミュレーションを行うことができる。したがって、表札の購入希望者は、表札レイアウト生成サーバが提供する表札レイアウトのシミュレーション機能の利用にあたり、表札見本の種類を選択する操作（第１ステップ）を省略して、簡易な操作でシミュレーション機能を利用することができる。
【００１２】
そして、本発明はその好適な実施態様として、複数種の表札見本の写真を掲載した冊子を有し、上記冊子には、表札見本ごとに紐づけられ、かつ、上記携帯端末装置による表札レイアウトの生成にあたり紐づけられた表札見本を選択して上記第１ステップを完了させる指示を含んだ二次元コードが配置されていることを特徴とする。
【００１３】
この表札受注システムによれば、表札の購入希望者（ユーザ）は、表札種選定用の冊子に配置された表札見本の写真を目視で確認しながら購入を希望する表札見本を選択し、選択した表札見本の写真に配置された二次元コードを携帯端末装置に読み込ませることによって、携帯端末装置が二次元コードの指示に従って、選択した表札見本に対応する表札種を自動的に選択して表札レイアウト生成手順の第１ステップ（表札見本の種類を選択させるステップ）が完了する。そのため、表札の購入希望者は、その後に携帯端末装置に表示される第１ステップ以降の手順を実行することで、表札のレイアウトのシミュレーションを行うことができる。したがって、表札の購入希望者は、表札レイアウト生成サーバが提供する表札レイアウトのシミュレーション機能の利用にあたり、表札見本の種類を選択する操作（第１ステップ）を省略して、簡易な操作でシミュレーション機能を利用することができる。
【００１４】
また、本発明に係る表札受注システムは、他の好適な実施態様として、上記表札レイアウト生成サーバは、上記表札レイアウトのシミュレーション機能によって表札レイアウトを生成すると、生成した表札レイアウトの情報に一対一で紐づけられたレイアウト特定情報を生成し、このレイアウト特定情報を上記携帯端末装置に送信するとともに、生成した表札レイアウトの情報及びレイアウト特定情報を所定のレイアウト記憶部に記憶させることを特徴とする。また、他の好適な実施態様として、上記レイアウト記憶部は、上記レイアウト生成サーバとネットワークを介して通信接続されたサーバコンピュータに備えられていることを特徴とする。
【００１５】
すなわち、これらの実施態様によれば、表札レイアウトのシミュレーション機能によって表札レイアウトが生成されると、生成された表札レイアウトの情報に一対一で紐づけられたレイアウト特定情報が生成され、このレイアウト特定情報が上記携帯端末装置に送信されるとともに、生成された表札レイアウトの情報及びレイアウト特定情報が所定のレイアウト記憶部に記憶される。したがって、表札の購入希望者がこのレイアウト特定情報を表札売り場の販売員に伝達すれば、表札制作者（表札の製造業者）はこのレイアウト特定情報を頼りに表札レイアウト記憶部から表札のレイアウトの情報を読み出すことで表札のレイアウトを正確に把握することができ、注文通りの表札の制作が可能になる。そのため、たとえば、レイアウト記憶部を備えたサーバコンピュータを表札制作者側に設けておけば、表札売り場（販売員）と表札制作者との間でレイアウト特定情報のみをやり取りするだけで、表札の制作に着手することができるようになる。
【００１６】
また、本発明は、他の好適な実施態様として、上記ディスプレイは、上記複数の表札見本を平面上に配置するボード状の形態とされ、上記二次元コードは、各表札見本の近傍位置にそれぞれ配置されていることを特徴とする。
【００１７】
この実施態様によれば、複数の表札見本がボード状のディスプレイに平面上に配置されるとともに、各表札見本と紐づけられた二次元コードが各表札見本の近傍位置にそれぞれ配置されているので、表札の購入希望者は、ディスプレイで現物の表札見本を目視確認して、気に入った表札見本の近傍に配置された二次元コードを携帯端末装置に読み取らせることによって、気に入った表札見本について表札レイアウトのシミュレーションを行うことができる。そのため、表札の質感や印象を現物の表札見本で確認しつつ、好みに合った表札レイアウトを作成することができる。
【発明の効果】
【００１８】
本発明によれば、表札の購入希望者は、表札種選定用のディスプレイに配置された現物の表札見本を目視確認しながら表札レイアウトのシミュレーションができるので、表札の質感や印象を実際に確認して表札レイアウトを作成することができる。
【００１９】
しかも、表札見本と一対一で紐づけられた二次元コードを携帯端末装置に読み取らせることで表札レイアウトのシミュレーションが開始されるので、表札の種類を選択する操作を省略することができ、表札レイアウトのシミュレーションを容易かつ手際よく開始することができる。特に、上記二次元コードが各表札見本の近傍位置に配置されることにより、たとえば、気に入った表札見本の近くに携帯端末装置をかざすことで、当該表札見本と紐づけられた二次元コードを読み取ることができ、違う表札見本の二次元コードを誤って読み込むおそれが解消され、気に入った表札見本についてのシミュレーションを確実に実行することができる。
【００２０】
また、本発明は、表札レイアウト生成サーバが、生成された表札レイアウトの情報に一対一で紐づけられたレイアウト特定情報を生成し、このレイアウト特定情報を携帯端末装置に送信するとともに、生成された表札レイアウトの情報及びレイアウト特定情報を所定のレイアウト記憶部に記憶させる構成を備えることにより、表札の購入希望者は、このレイアウト特定情報を表札売り場の販売員に伝達するだけで、表札のレイアウトに関する注文手続を完了させることができ、表札の注文手続を大幅に簡素化することができる。
【００２１】
また、本発明は、表札種選定用のディスプレイが、複数の表札見本を平面上に配置するボード状の形態とされ、二次元コードが、各表札見本の近傍位置にそれぞれ配置されることにより、表札の購入希望者は、表札の質感や印象を現物の表札見本で確認しながら、自己の好みに合った表札レイアウトを容易に作成することができる。
【図面の簡単な説明】
【００２２】
【図１】本発明に係る表札受注システムの一例を示す概略構成図である。
【図２】同表札受注システムのシステム構成の一例を示すブロック図である。
【図３】同表札受注システムの表札種選定用のディスプレイにおける表札見本および情報タグの配置例を示す正面図である。
【図４】同表札受注システムにおける表札レイアウトの作成手順の一例を示す説明図であり、図４（ａ）は第１ステップ完了時に端末表示部に表示される画面を、図４（ｂ）は第２ステップ実行中に端末表示部に表示される画面を、図４（ｃ）は表札レイアウトの確定操作に対して端末表示部に表示される画面を示している。
【図５】同表札受注システムにおける携帯端末装置と、表札レイアウト生成サーバと、受注用サーバとの通信状況の一例を示す説明図である。
【発明を実施するための形態】
【００２３】
以下、本発明の実施形態を図面に基づいて詳細に説明する。
実施形態１
本発明に係る表札受注システムは、表札売り場で現物の表札見本を確認しながらその場で表札のレイアウトを作成して、表札を注文できるようにした表札受注システムであって、図１および図２に示すように、表札種選定用のディスプレイ１と、携帯端末装置２と、表札レイアウト生成サーバ３とを主要部として構成される。なお、図示例では、これらに加えて、後述する表札制作の受注用サーバ４を備えた場合を示している。
【００２４】
ディスプレイ１は、複数種の表札見本１１を展示するためのディスプレイ装置であって、各種の表札見本１１が目視確認できるように構成されている。ここで、表札は、その材質、形状、大きさ、構造などの様々な要素に基づいて種類分け（シリーズ化）されており、ディスプレイ１には、シリーズの全種類または一部の種類について、その種類ごとに少なくとも１以上の表札見本１１が配置されるようになっている。
【００２５】
本実施形態では、このディスプレイ１は、図１に示すように、複数の表札見本１１を平面上に配置するボード状の形態とされている。具体的には、矩形薄板状のボード部材の表面に複数の表札見本１１，１１，…を一覧可能に整列配置してなる態様とされており、ホームセンターなどの表札売り場の壁面などに取り付けられるようになっている。
【００２６】
なお、本実施形態では、ディスプレイ１を単一のボード部材で構成した場合を示したが、複数のボード部材に分割して表札見本１１を配置したり、あるいは、ボード部材に代えて表札売り場の壁面などをディスプレイ１として利用すること（つまり、表札売り場の壁面に表札見本１１を直接取り付けること）も可能である。要は、複数の表札見本１１をそれぞれ目視確認可能に展示できる構造であれば、ディスプレイ１の具体的な構造・形状は適宜変更可能である。
【００２７】
ディスプレイ１に展示される各表札見本１１には、それぞれの表札見本１１に関する情報を掲載した情報タグ１２が配置される。情報タグ１２は、表面に文字や記号などが印刷された札状の部材（たとえば、紙片）で構成されており、対応する表札見本１１の近傍位置に配設される。すなわち、表札見本１１と情報タグ１２の対応関係が容易に理解できるように各表札見本１１の近傍に情報タグ１２が配置される。図示例では、表札見本１１の下方位置に当該表札見本１１に隣接して情報タグ１２が配置されている。
【００２８】
この情報タグ１２には、図３に示すように、対応する表札見本１１に関する商品情報が印刷された商品情報欄１２ａと、所定の二次元コード１２ｂが印刷されたコード欄１２ｂとが設けられている。
【００２９】
商品情報欄１２ａには、たとえば、商品名（シリーズ名）、型番、大きさ、材質、価格など、対応する表札見本１１に関する詳細な情報が適宜掲載される。一方、コード欄１２ｂには、対応する表札見本１１ごとに紐づけられた二次元コードが掲載される。この二次元コードには、携帯端末装置２で読み取り可能な二次元コードが使用されており、たとえば、マトリクスコードとして広く普及しているＱＲコード（登録商標）が好適に用いられる。
【００３０】
また、二次元コードで表現される情報（二次元コードの内容）は、携帯端末装置２に対して、表札レイアウト生成サーバ３のシミュレーション機能の実行を指示するコマンドが含まれている（詳細は後述する）。
【００３１】
携帯端末装置２は、表札の購入希望者が持ち歩きできるタイプの情報端末装置であって、少なくとも、インターネット（ネットワーク）Ｎに接続可能に構成されるとともに、インターネット上のウェブページの閲覧機能と、二次元コードの読み取り機能とを備えた可搬型のコンピュータで構成される。具体的には、携帯端末装置２としては、たとえば、スマートフォンやタブレットＰＣなどが例示される。
【００３２】
ここで、スマートフォンやタブレットＰＣのハード構成は周知であるので詳細な説明は省略するが、携帯端末装置２は、図２に示すように、ウェブページの閲覧機能や二次元コードの読み取り機能などの各種機能を制御する端末制御部２１と、各種機能を実現するためのプログラムやデータなどを記憶する端末記憶部２２と、各種情報を表示する端末表示部２３と、携帯端末装置２に対する指示を入力するための端末操作部２４と、インターネットＮに接続するための端末通信部２５と、二次元コードを読み取るための二次元コード読取部２６とを備えて構成されている。
【００３３】
なお、図示例では、携帯端末装置２の端末表示部２３と端末操作部２４とが独立して構成される場合を示したが、端末操作部２４をタッチパッドのような位置入力装置で構成し、端末表示部２３と端末操作部２４とを一体に構成することも勿論可能である。
【００３４】
表札レイアウト生成サーバ３は、主に、ウェブページの閲覧機能を介して、携帯端末装置２を含む各種端末装置に対し、これら端末装置からの要求に応じて表札のレイアウトを生成するシミュレーション機能を提供するサーバコンピュータであって、上記シミュレーション機能を含む各種機能を制御する制御部３１と、シミュレーション機能を含む各種機能を実現するためのプログラムやデータなどを記憶する記憶部３２と、インターネットＮに接続するための通信部３３とを主要部として構成されている。なお、図示例では、表示部および操作部を省略した構成を示したが、これらを備える構成であってもよい。
【００３５】
表札レイアウトのシミュレーション機能は、表札レイアウト生成サーバ３が提供するウェブページにおいて、ユーザが選択した表札見本１１の画像上に、ユーザが選択した文字を重ね合わせて配置することによって、実際の表札のような画像（表札レイアウト）を生成する機能であって、携帯端末装置２（又は他の端末装置）の端末表示部２３（又は端末装置の表示部）を見ながら、ユーザの好みに合った表札レイアウトを作成できるようにした機能である。
【００３６】
このような表札レイアウトのシミュレーション機能そのものは公知であるので詳細な説明は省略するが、この機能に関連して、本発明に係る表札レイアウト生成サーバ３の制御部３１は、表札レイアウトを生成する手順として、少なくとも、表札見本１１の種類を選択させる第１ステップと、選択された表札見本１１の画像に対し文字を配置させる第２ステップとを有する制御構成を備えている。
【００３７】
つまり、表札レイアウトを生成する場合、ユーザは、まず、第１ステップで複数の表札種の中からレイアウト作成を希望する表札種を選び、次に、第２ステップで選んだ表札種に対して文字を配置するという２段階の手順を経て表札レイアウトを生成することになる。
【００３８】
なお、この第２ステップでは、表札見本１１の画像に配置する文字の選択に加えて、たとえば、文字の書体、大きさ、配置間隔、色などの選択、さらには、文字以外の記号や図形の選択・配置など、表札に対する各種装飾を付加する手順を含めることができる。
【００３９】
本実施形態に示す表札レイアウト生成サーバ３では、このようなシミュレーション機能に関連して、複数種の表札見本１１の画像情報およびこれらの画像情報に配置可能な文字及び書体に関する情報が記憶部３２に記憶されている。そして、制御部３１は、これら表札見本１１および文字及び書体の情報に基づいて、表札見本１１の画像に文字を配置することによって表札レイアウトを生成するようになっている。
【００４０】
そして、本発明に係る表札レイアウト生成サーバ３の制御部３１は、上記シミュレーション機能に加えて、ユーザによる表札レイアウトの生成が完了すると、生成した表札レイアウトの情報Ｄ１に一対一で紐づけられたレイアウト特定情報Ｄ２を生成し、このレイアウト特定情報Ｄ２を携帯端末装置２に送信するとともに、生成した表札レイアウトの情報Ｄ１及びレイアウト特定情報Ｄ２を所定のレイアウト記憶部（本実施形態では、受注用サーバ４の記憶部４２）に記憶させる処理を実行するように構成されている。
【００４１】
受注用サーバ４は、主に、表札の製造工場のような表札制作者のところ配置されるサーバーコンピュータであって、サーバを制御する制御部４１、プログラムやデータを記憶する記憶部４２、情報を表示する表示部４３、サーバに対する指示を入力する操作部４４およびネットワークＮを介して表札レイアウト生成サーバ３と通信接続するための通信部４５を主要部として構成される。そして、本実施形態では、この受注サーバ４の記憶部４２は、表札レイアウト生成サーバ3から送信される表札レイアウトの情報Ｄ１及びレイアウト特定情報Ｄ２を記憶するレイアウト記憶部として機能するように構成されている。なお、この受注用サーバ４には、表札の制作を受注した際に、表札レイアウト生成サーバ３で生成された表札レイアウトの情報Ｄ１に基づいて、表札加工用のデータを生成する機能を実現するプログラムも備えらている。
【００４２】
次に、このように構成された表札受注システムによる表札レイアウトの生成手順および表札の注文・制作手順を図４および図５に基づいて説明する。
【００４３】
Ａ：表札レイアウトの生成手順
表札レイアウトを作成する場合、表札の購入希望者は、表札選定用のディスプレイ１が設置された表札売り場に行って、ディスプレイ１に配置された複数種の表札見本１１，１１，…の中から表札レイアウトの作成を希望する（購入を希望する）表札見本１１の近傍に配置された情報タグ１２中の二次元コードを携帯端末装置２に読み取らせる。
【００４４】
ここで、情報タグ１２に掲載される二次元コードは、上述したように、表札見本１１ごとに紐づけられた特定の情報を表現した二次元コードで構成されている。具体的には、この二次元コードには、表札レイアウト生成サーバ３に対して、同サーバ３が提供する表札レイアウトのシミュレーション機能において、当該二次元コードと紐づけられた表札見本１１と同じ表札種を選択して第１ステップを完了させることを指示するコマンドが記載されている。
【００４５】
したがって、表札の購入希望者が情報タグ１２の二次元コードを携帯端末装置２に読み取らせることにより、携帯端末装置２は、ウェブページの閲覧機能を用いて表札レイアウト生成サーバ３に表札レイアウトのシミュレーション機能の開始要求を行うとともに（図５Ｓ１参照）、二次元コードと紐づけられた表札見本１１の表札種を表札レイアウト生成サーバ３に通知する（図５Ｓ２参照）。
【００４６】
これにより、表札レイアウト生成サーバ３は、携帯端末装置２によって指示された表札種を選択してシミュレーション機能の第１ステップを完了し、続く第２ステップのシミュレーションを開始する（図５Ｓ３参照）。
【００４７】
図４（ａ）は、第１ステップ完了時に携帯端末装置２の端末表示部２３に表示される画面の一例を示している。この図に示すように、第１ステップが完了した時点で、表札レイアウト生成サーバ３は、携帯端末装置２の端末表示部２３に対して、選択した表札種に対応する表札見本１１の画像２３ａ（図示例では、漢字の「鈴木」と欧文字の「ＳＵＺＵＫＩ」を上下二段に表した画像を例示している）と、当該表札見本１１の商品情報２３ｂ（たとえば、商品名、型番、大きさ、材質などが表示される。図示例はこれらの表示は省略した）を表示させる。これにより、表札の購入希望者は、ディスプレイ１の表札見本１１と端末表示部２３に表示された表札見本１１の画像２３ａや商品情報２３ｂを対比することができ、選択した表札見本１１についてのシミュレーションが正しく開始されているか否かを確認することができる。
【００４８】
図４（ｂ）は、第２ステップ実行中に携帯端末装置２の端末表示部２３に表示される画面の一例を示している。具体的には、この図は、第２ステップにおいて、表札に表示させる文字の入力を要求する画面を示しており、上段に大きく表札見本１１の画像２３ｃと、下段に文字入力用の入力欄２３ｄとを表示した場合を示している。
【００４９】
表札の購入希望者は、図４（ｂ）に示すような、携帯端末装置２の端末表示部２３の入力指示に従い、表札レイアウトのシミュレーションに必要な情報を携帯端末装置２を介して表札レイアウト生成サーバ３に提供しながら表札のシミュレーションを行う（図５Ｓ４参照）。表札レイアウト生成サーバ３は、携帯端末装置２から提供される情報を反映した表札レイアウトを携帯端末装置２で閲覧できるように提供しながら（つまり、表札レイアウトを更新しながら）、表札レイアウトのシミュレーションの第２ステップを進行させる。なお、この携帯端末装置２と表札レイアウト生成サーバ３との間での情報のやり取り（シミュレーションの第２ステップ）は、シミュレーションする項目（たとえば、文字の書体の他、大きさ、配置、色など）の数などに応じて適宜複数回行われる。
【００５０】
このようにして、表札の購入希望者が表札のシミュレーションを行い、表札レイアウトが決まると、購入希望者はシミュレーション結果の確定操作を行って、確定した表札レイアウトの内容を表札レイアウト生成サーバ３に送信する（図５Ｓ５参照）。
【００５１】
これに対して、表札レイアウト生成サーバ３は、携帯端末装置２から表札レイアウトの確定の通知を受け取ると、確定した表札レイアウト（表札レイアウトの最終更新版）に対して一対一で紐づけられた校正番号（レイアウト特定情報）Ｄ２を生成し、この校正番号Ｄ２を携帯端末装置２に送信するとともに（図５Ｓ６参照）、最終更新版である表札レイアウトの情報Ｄ１及び校正番号Ｄ２を受注用サーバ４の記憶部４２に記憶させる処理を実行する（図５Ｓ７参照）。
【００５２】
図４（ｃ）は、表札レイアウト生成サーバ３から携帯端末装置２に対して送信された校正番号Ｄ２の表示例を示しており、この図に示すように、表札レイアウトを確定させると、携帯端末装置２の端末表示部２３の校正番号表示欄２３ｅには、表札レイアウト生成サーバ３から送信された校正番号Ｄ２（図示例では、５桁の数字で構成された校正番号「１２３４５」）が表示される。なお、同図における２３ｆは、確定した表札レイアウトに関する詳細情報（たとえば、商品名、文字の書体など）を表示する欄を示している。
【００５３】
このように、本発明に係る表札受注システムによれば、表札の購入希望者は、表札種選定用のディスプレイ１に配置された表札見本１１を実際に見て確認しながら購入を希望する表札見本１１の近傍に配置された二次元コードを携帯端末装置２に読み込ませることによって、選択した表札見本１１に対応する表札種の選択が自動的に行われ、表札レイアウト生成手順の第１ステップが完了するので、表札の購入希望者は、表札レイアウト生成手順の第２ステップからシミュレーションを行うことができる。そのため、表札の購入希望者は、簡易な操作で表札レイアウト生成サーバ３が提供するシミュレーション機能を利用することができる。
【００５４】
Ｂ：表札の注文・制作手順
次に、本発明に係る表札受注システムを利用した表札の注文手順について説明する。本発明に係る表札受注システムでは、上述したように、携帯端末装置２の操作によって表札レイアウトを確定すると、表札レイアウト生成サーバ３から校正番号Ｄ２を受信するので、表札の購入希望者は、この校正番号Ｄ２を表札売り場の販売員に通知することにより、表札購入の意思と購入を希望する表札のレイアウトを販売員に伝達することができる。
【００５５】
これに対し、表札売り場側は、表札の購入希望者から伝達された校正番号Ｄ２を表札制作者に伝えることにより、表札の発注を完了することができる。つまり、表札制作者は、表札売り場側から伝達された校正番号Ｄ２を用いて受注用サーバ４の記憶部４２内に記憶された、校正番号Ｄ２と紐づけられた表札レイアウトの情報Ｄ１を読み出すことで、制作すべき表札の表札種および表札レイアウトの情報Ｄ１を入手することができるようになる。したがって、表札制作者は、この表札レイアウトの情報Ｄ１に基づいて表札を制作し、表札売り場または表札の購入希望者に納品することによって表札の受注から販売までを行うことができる。
【００５６】
このように、本発明に係る表札受注システムによれば、表札の購入希望者は、表札売り場に校正番号Ｄ２を伝達するだけで、その後の発注から制作までが校正番号Ｄ２に基づいて処理されるので、表札の注文手続が大幅に簡素化されるとともに、注文通りの表札が確実に制作され、注文ミスの発生を防止することができる。
【００５７】
実施形態２
次に、本発明に係る表札受注システムの第２の実施形態について説明する。
本実施形態に係る表札受注システムは、上述した実施形態１に示す表札受注システムの改変例であって、商品カタログなど、複数種の表札見本の写真が掲載された冊子（図示せず）にも実施形態１と同様の二次元コードを設けておき、この二次元コードを携帯端末装置２に読み取らせることによっても表札レイアウトのシミュレーション機能を利用できるように構成している。
【００５８】
具体的には、上記冊子において複数種の表札見本の写真が掲載されたページに、表札見本ごとに紐づけられ、かつ、携帯端末装置２による表札レイアウトの生成にあたり紐づけられた表札見本を選択して表札レイアウトのシミュレーションの第１ステップを完了させる指示を含んだ二次元コードを配置する。この二次元コードの配置にあたっては、たとえば、同一種の表札見本の写真が複数掲載されるような場合（たとえば、文字や書体を変えた表札見本の写真が掲載されるような場合）には、個々の写真ごとにそれぞれ二次元コードを配置してもよいが、同一種の表札見本に対して共通の二次元コードを一つ配置するように構成してもよい。
【００５９】
ここで、冊子に配置される二次元コードには、実施形態１と同様に、携帯端末装置２に対して、表札レイアウト生成サーバ３のシミュレーション機能の実行を指示するコマンドが含まれていることから、表札の購入希望者が、冊子に掲載された二次元コードを携帯端末装置２に読み取らせることによって、当該二次元コードと紐づけられた表札見本と同じ表札種が選択された状態で、表札レイアウトのシミュレーション機能の第１ステップが完了する。それ以降の手順は、実施形態１と同様である。
【００６０】
このように、第２の実施形態に係る表札受注システムでは、表札種選定用のディスプレイ１に配置された表札見本１１を実際に見て確認しながらの表札レイアウトのシミュレーションだけでなく、カタログなどの冊子を見ながらのシミュレーションにも対応することができる。
【００６１】
なお、上述した実施形態はあくまでも本発明の好適な実施態様を示すものであって、本発明はこれらに限定されることなくその範囲内で種々の設計変更が可能である。
【００６２】
たとえば、上述した実施形態では、表札レイアウトの確定によって生成される表札レイアウトの情報Ｄ１及び校正番号Ｄ２を受注用サーバ４の記憶部４２に記憶させる場合を示したが、受注用サーバ４以外のサーバコンピュータの記憶部に記憶させることも可能である。たとえば、表札レイアウトの情報Ｄ１及び校正番号Ｄ２を表札レイアウト生成サーバ３の記憶部３２に記憶させるように構成し、表札制作者は、校正番号Ｄ２を頼りに表札レイアウト生成サーバ３からこれらの情報を読み出すように構成することも可能である。
【００６３】
また、表札レイアウトのシミュレーションに関し、上述した実施形態では、表札の購入希望者は文字や書体などの情報を入力して表札レイアウトを確定させる場合を示したが、たとえば、携帯端末装置２が撮像機能（写真又は動画の撮影機能）を有する場合には、この撮像機能を利用して、表札レイアウトの確定前又は確定後に、自宅の表札取り付け位置の画像に表札レイアウトの画像を重ね合わせて（いわゆる拡張現実を利用して）、表札取り付け後の状態を予想できるように構成することも可能である。
【００６４】
また、上述した実施形態では、確定した表札レイアウトに対して生成されるレイアウト特定情報Ｄ２として数字を用いた場合を示したが、数字以外の文字や記号を用いる、あるは文字や記号と数字を組み合わせることも勿論可能である。
【００６５】
また、上述した実施形態２では、表札種選定用のディスプレイ１とカタログなどの冊子の双方に、表札レイアウトのシミュレーション機能の第１ステップを完了させる指示を含んだ二次元コードを配置した場合を示したが、ディスプレイ１を用いずに冊子のみに二次元コードを配置するように構成することも可能である。
【符号の説明】
【００６６】
１            表札選定用のディスプレイ
２            携帯端末装置
３            表札レイアウト生成サーバ
４            受注用サーバ
１１          表札見本
１２          情報タグ
１２ａ        商品情報欄
１２ｂ        コード欄
Ｄ１              表札レイアウトの情報
Ｄ２              校正番号（表札レイアウト特定情報）
Ｎ                インターネット（ネットワーク）
【図１】
2020057248.tif 000003
【図２】
2020057248.tif 000004
【図３】
2020057248.tif 000005
【図４】
2020057248.tif 000006
【図５】
2020057248.tif 000007